【手続補正書】
【提出日】平成18年4月6日(2006.4.6)
【手続補正１】
【補正対象書類名】特許請求の範囲
【補正対象項目名】全文
【補正方法】変更
【補正の内容】
【特許請求の範囲】
【請求項１】
未展開の展開可能なカーテンであって該展開可能なカーテンに取付位置のところで取り付けられた複数の設置タブを有している未展開の展開可能なカーテンに第１縁部と第２縁部とを有する薄膜を巻き付ける方法において、設置タブの前記取付位置に近接した位置に対して薄膜の第１縁部を選択的に整合する工程と、薄膜の第１縁部上に設置タブを配置する工程と、薄膜が未展開の展開可能なカーテンを実質的に包み込むように第１縁部と取付位置とに重なり合う位置に対して薄膜の第２縁部を選択的に整合する工程とを含む方法。
【請求項２】
前記薄膜の第２縁部の重なり合った部分を該薄膜の第１縁部に接着する工程をさらに含む請求項１に記載の方法。
【請求項３】
前記薄膜の第１縁部と薄膜の第２縁部とが加熱により接着される請求項２に記載の方法。
【請求項４】
前記薄膜の第１縁部と薄膜の第２縁部とが接着剤により互いに接着される請求項２に記載の方法。
【請求項５】
前記薄膜に穿孔を開ける工程をさらに含む請求項１に記載の方法。
【請求項６】
実質的に細長くてＵ字形状をしたチャネル内に、前記第１縁部が該チャネルの第１の側から外部に延びると共に前記第２縁部が該チャネルの第２の側から外部に延びるように薄膜を配置する工程と、前記チャネル内に未展開の展開可能なカーテンを配置する工程とをさらに含む請求項１に記載の方法。
【請求項７】
未展開の展開可能なカーテンの周囲の長さよりも長い寸法に薄膜を切断する工程をさらに含む請求項１に記載の方法。
【請求項８】
前記展開可能なカーテンの周囲に薄膜を収縮させる工程をさらに含む請求項１に記載の方法。
【請求項９】
前記薄膜を収縮させる工程が薄膜が巻き付けられた展開可能なカーテンを炉内に配置する工程を含む請求項８に記載の方法。
【請求項１０】
前記未展開の展開可能なカーテンが巻回された状態にある請求項１に記載の方法。
【請求項１１】
前記未展開の展開可能なカーテンが折り畳まれた状態にある請求項１に記載の方法。
【請求項１２】
前記設置タブが展開可能なカーテンに編み合わされている請求項１に記載の方法。
【請求項１３】
前記薄膜が収縮可能である請求項１に記載の方法。
【請求項１４】
巻回体から薄膜を供給する工程と、該薄膜を展開可能なカーテンの長さとほぼ同一の長さに切断する工程とをさらに含む請求項１に記載の方法。
【請求項１５】
未展開の展開可能なカーテンであって該展開可能なカーテンに取付位置のところで取り付けられた複数の設置タブを有する未展開の展開可能なカーテンに第１縁部と第２縁部とを有する薄膜を巻き付ける方法において、チャネル内に、該チャネルと未展開の展開可能なカーテンとの間に薄膜が選択的に配置され且つ前記第１縁部と第２縁部とが該チャネルから突出するように薄膜と未展開の展開可能なカーテンとを配置する工程と、未展開の展開可能なカーテンと僅かに接触するように第１の刃を移動させて該第１の刃によって未展開の展開可能なカーテン上を前記取付位置に隣接する位置まで薄膜の第１縁部を移動させる工程と、未展開の展開可能なカーテンと僅かに接触するように第２の刃を移動させて該第２の刃によって薄膜の第２縁部と設置タブとを第１の刃上にさらに移動させる工程と、前記第１の刃を引き込める工程と、薄膜の第１縁部を薄膜の第２縁部に接着する工程とを含む方法。
【請求項１６】
前記第１縁部が加熱工程により第２縁部に接着される請求項１５に記載の方法。
【請求項１７】
前記第１縁部が接着剤の使用により第２縁部に接着される請求項１５に記載の方法。
【請求項１８】
前記チャネルがＵ字形状をしている請求項１５に記載の方法。
【請求項１９】
前記展開可能なカーテンが実質的に細長い請求項１５に記載の方法。
【請求項２０】
前記展開可能なカーテンの周囲に薄膜を収縮させる工程をさらに含む請求項１５に記載の方法。
【請求項２１】
前記薄膜を収縮させる工程が薄膜が巻き付けられた展開可能なカーテンを炉内に配置する工程を含む請求項２０に記載の方法。
【請求項２２】
前記設置タブが展開可能なカーテンに編み合わされている請求項１５に記載の方法。
【請求項２３】
巻回体から薄膜を供給する工程と、該薄膜を展開可能なカーテンの長さとほぼ同一の長さに切断する工程とをさらに含む請求項１５に記載の方法。
【請求項２４】
展開可能なカーテンであって該展開可能なカーテンから延びる複数の設置タブを有する展開可能なカーテンと、第１縁部と第２縁部とを有する薄膜であって前記第１縁部と第２縁部とが重なり部分を形成し且つ前記設置タブの一部分が前記重なり部分から延びると共に該薄膜から外部に延びるように前記展開可能なカーテンを包み込む薄膜とを具備する展開可能なカーテン一括体。
【請求項２５】
前記展開可能なカーテンが展開するときに薄膜が展開可能なカーテンを解放するように構成されている請求項２４に記載の展開可能なカーテン一括体。
【請求項２６】
前記薄膜が穿孔を備えている請求項２４に記載の展開可能なカーテン一括体。
【請求項２７】
前記展開可能なカーテンに流通関係をもって連結された膨張装置をさらに具備する請求項２４に記載の展開可能なカーテン一括体。
【請求項２８】
前記薄膜が展開可能なカーテンを巻回された形態に保持している請求項２４に記載の展開可能なカーテン一括体。
【請求項２９】
前記薄膜が展開可能なカーテンを折り畳まれた形態に保持している請求項２４に記載の展開可能なカーテン一括体。
【請求項３０】
前記展開可能なカーテンが未展開状態にあるときに細長い形態をとっている請求項２４に記載の展開可能なカーテン一括体。
【請求項３１】
前記薄膜が展開可能なカーテンの周囲に収縮装着されている請求項２４に記載の展開可能なカーテン一括体。
【請求項３２】
前記第１縁部と第２縁部とが加熱により互いに封止されている請求項２４に記載の展開可能なカーテン一括体。
【請求項３３】
前記第１縁部と第２縁部とが接着剤により互いに接着されている請求項２４に記載の展開可能なカーテン一括体。
【請求項３４】
前記展開可能なカーテンがテーパ形状をとっている請求項２４に記載の展開可能なカーテン一括体。
【請求項３５】
展開可能なカーテンであって該展開可能なカーテンから延びて基部と末端部とを有する複数の編み合わされた設置タブを有する展開可能なカーテンと、第１縁部と第２縁部とを有する薄膜であって前記第１縁部と第２縁部とが加熱により互いに封止され且つ前記編み合わされた設置タブの基部が該薄膜の下に配置されると共に前記編み合わされた設置タブの末端部が該薄膜から外部に延びるように前記展開可能なカーテンを包み込む薄膜とを具備する展開可能なカーテン一括体。
【請求項３６】
前記第１縁部と第２縁部とが重なり部分を形成している請求項３５に記載の展開可能なカーテン一括体。
【請求項３７】
前記編み合わされた設置タブの末端部が前記重なり部分のところで薄膜から外部に延びている請求項３６に記載の展開可能なカーテン一括体。
【請求項３８】
前記展開可能なカーテンと編み合わされた設置タブとが一体形成されている請求項３５に記載の展開可能なカーテン一括体。
【請求項３９】
前記展開可能なカーテンが未展開状態にあるときに略円筒形状をとっており、該略円筒形状の展開可能なカーテンの長さに沿って前記編み合わされた設置タブが離間して配置されている請求項３５に記載の展開可能なカーテン一括体。